(57)【特許請求の範囲】
【請求項１】
光学系を光軸に沿って掃引する際に、光学系から入射する光量に基づいて、光ディスクの有無を判断する光ディスク装置において、
光学系の掃引前に、入射光量を表す信号のレベルを記憶するメモリ回路と、
光学系の掃引中に、入射光量を表す信号のレベルの最高値を検出する最高値検出回路と、
光学系の掃引後に、メモリ回路に記憶されている信号のレベルと、最高値検出回路によって検出される信号のレベルとを比較し、信号間のレベル差が予め設定される範囲内であるとき、光ディスクが無いと判断する判断回路とを含むことを特徴とする光ディスク装置。
【請求項２】
光学系を光軸に沿って掃引する際に、光学系から入射する光量に基づいて、光ディスクの有無を判断する光ディスク装置において、
光学系の掃引中に、入射光量を表す信号のレベルの最高値を検出する最高値検出回路と、
光学系の掃引後に、入射光量を表す信号のレベルと、最高値検出回路によって検出される信号のレベルとを比較し、信号間のレベル差が予め設定される範囲内であるとき、光ディスクが無いと判断する判断回路とを含むことを特徴とする光ディスク装置。
【発明の詳細な説明】
【技術分野】
【０００１】
本発明は、光ディスクや光磁気ディスクなどの記録媒体に対して、記録内容を光学的に取り扱う光ディスク装置に関する。
【背景技術】
【０００２】
従来から、コンパクトディスク（ＣＤ）、レーザディスク（ＬＤ）、およびデジタルビデオディスク（ＤＶＤ）などの光ディスクや、ミニディスク（ＭＤ）および磁気光学ディスク（ＭＯ）などの光磁気ディスクからの記録内容の読み出し、さらには、ＣＤ−Ｒ、ＣＤ−ＲＷ、およびＤＶＤ−ＲＡＭなどへの記録内容の書き込みなどの取り扱いは、光ピックアップなどを備える光ディスク装置で、光学的に行われている。光ディスク装置では、光ディスクや光磁気ディスクをターンテーブルに装着させて回転させ、光ピックアップに対するフォーカスサーボやトラッキングサーボの制御を行いながら、記録内容の読み出しや書き込みを行う。したがって、光ディスク装置が光ディスクや光磁気ディスクなどのディスク状記録媒体を取り扱う際には、ターンテーブルへの光ディスクなどの装填の有無を検知しておく必要がある。
【０００３】
光ディスクの有無の検知には、光ピックアップを用いることもできる。たとえば特開平４−７９０３２や特開平６−２０３４６７には、レンズを移動して光ピックアップのフォーカスを変化させながら、ディテクタの受光量に光ディスクの検出に対応する変化が有るか否かを調べ、変化が有れば光ディスクが装填されていると判断する先行技術が開示されている。これらの先行技術では、光ディスクの有無の検知をフォーカス調整の一環として行っている。
【０００４】
図１１は、光ピックアップのディテクタの受光面１を概略的に示す。受光面１は、４分割され、相互に対角位置にあるＡとＢとの２組の領域に分かれている。レンズを通って入射する光ディスクからの入射光２は、光ディスクの反射面、レンズおよび受光面１の位置関係に従って、図１１（ａ），（ｂ），（ｃ）に示すように形状が変化して受光面１上に結像する。光学系の焦点が合っている状態が図１１（ｃ）である。
【０００５】
図１２は、フォーカスの変化に伴う受光面１のＡおよびＢにそれぞれ入射する反射光量に対応するディテクタ出力信号のレベル変化と、Ａ＋Ｂの反射光量和であるトータル信号のレベル変化とを示す。図１１（ａ）の状態ではＡの信号レベルが大きく、図１１（ｂ）の状態ではＢの信号レベルが大きい。図１１（ｃ）では信号レベルがＡ＝Ｂとなり、Ａ＋Ｂのトータル信号レベルも最大となる。したがって、トータル信号のレベルがピークを示すような変化を行うか否かで、光ディスクの有無を判断することができる。
【０００６】
前述の特開平４−７９０３２では、ＡとＢとの差であるフォーカスエラー信号のレベルがゼロになるゼロクロスを検出すれば、光ディスク有りと判断している。特開平６−２０３４６７では、フォーカスエラー信号レベルの変化の数を計数し、光ディスク表面の透明層と反射記録層とに対応するＳカーブ波形を検出すれば、光ディスク有りと判断している。
【発明の開示】
【発明が解決しようとする課題】
【０００７】
前述のトータル信号がピークを示すか否かの判断は、フォーカスが外れているときのトータル信号のレベルよりも高く、フォーカスが合うときのトータル信号のレベルよりは低い基準レベルを設定しておくことで可能となる。前述のフォーカスエラー信号のゼロクロスやＳカーブの検出も、ゼロクロスの前後にピークが有ることが前提となり、ピークの検出のためには基準レベルの設定や比較が必要となる。
【０００８】
ピークの有無を基準レベルとの比較で判断する場合、例えば図１２に一点鎖線で示すスライスレベルＦＯＫＬＥＶがトータル信号の基準レベルであれば、明瞭にピーク有りと判断することができる。しかしながら、たとえば温度変化などで、ディテクタやその出力を増幅する増幅器などのＤＣオフセットが大きくなる可能性がある。信号レベル中のＤＣオフセット成分が大きくなって、基準レベルとの相対的な関係が変化すると、たとえば図１２に２点鎖線で示すように、常にトータル信号のレベルの方が基準レベルよりも大きくなってしまうおそれがある。このような状態では、光ディスクが装填されていなくても装填されているように検出してしまうことになる。実際に光ディスクが装填されていないにもかかわらず、装填されていると判断されてしまうので、光ディスク装置が誤動作を起こすおそれが生じる。
【０００９】
本発明の目的は、ディテクタや増幅器のＤＣオフセットなどで信号レベルが変動しても、誤動作を起こすおそれが無い光ディスク装置を提供することである。
【課題を解決するための手段】
【００１０】
本発明は、光学系を光軸に沿って掃引する際に、光学系から入射する光量に基づいて、光ディスクの有無を判断する光ディスク装置において、
光学系の掃引前に、入射光量を表す信号のレベルを記憶するメモリ回路と、
光学系の掃引中に、入射光量を表す信号のレベルの最高値を検出する最高値検出回路と、
光学系の掃引後に、メモリ回路に記憶されている信号のレベルと、最高値検出回路によって検出される信号のレベルとを比較し、信号間のレベル差が予め設定される範囲内であるとき、光ディスクが無いと判断する判断回路とを含むことを特徴とする光ディスク装置である。
【００１１】
本発明に従えば、光ディスクが装填されているときには、光学系の掃引中に、入射光量を表す信号のレベルは、光ディスクに焦点が合う状態でピークとなり、最高値検出回路によって最高値として検出される。ピークに対応する最高値は、光学系の掃引前にメモリ回路に記憶される入射光量を表す信号とほぼ同一の範囲とはならず、かなりの差が生じる。光ディスクが装填されていないときには、メモリに記憶されている信号のレベルと最高値とはほぼ同一の範囲となる。両者のレベルの比較は、相対的に行われるので、入射光量を表す信号のレベルにＤＣオフセットなどの影響が生じていても、光ディスクの有無について確実な判断を行い、誤検出を防ぐことができる。
【００１２】
さらに本発明は、光学系を光軸に沿って掃引する際に、光学系から入射する光量に基づいて、光ディスクの有無を判断する光ディスク装置において、
光学系の掃引中に、入射光量を表す信号のレベルの最高値を検出する最高値検出回路と、
光学系の掃引後に、入射光量を表す信号のレベルと、最高値検出回路によって検出される信号のレベルとを比較し、信号間のレベル差が予め設定される範囲内であるとき、光ディスクが無いと判断する判断回路とを含むことを特徴とする光ディスク装置である。
【００１３】
本発明に従えば、光ディスクが装填されているときには、光学系の掃引中に、入射光量を表す信号のレベルは、光ディスクに焦点が合う状態でピークとなり、最高値検出回路によって最高値として検出される。ピークに対応する最高値は、光学系の掃引後の入射光量を表す信号とほぼ同一の範囲とはならず、かなりの差が生じる。光ディスクが装填されていないときには、掃引後の入射光量を表す信号のレベルと最高値とはほぼ同一の範囲となる。両者のレベルの比較は、相対的に行われるので、入射光量を表す信号のレベルにＤＣオフセットなどの影響が生じていても、光ディスクの有無について確実な判断を行い、誤検出を防ぐことができる。
【発明の効果】
【００１４】
本発明によれば、光学系の掃引前と掃引中の最高値とで、入射光量を表す信号のレベルの相対的な比較を行うので、入射光量を表す信号のレベルにＤＣオフセットなどの影響が生じていても、光ディスクの有無について確実な判断を行い、誤検出を防ぐことができる。
【００１５】
本発明によれば、光学系の掃引中の最高値と掃引後とに、入射光量を表す信号のレベルの相対的な比較を行うので、入射光量を表す信号のレベルにＤＣオフセットなどの影響が生じていても、光ディスクの有無について確実な判断を行い、誤検出を防ぐことができる。
【発明を実施するための最良の形態】
【００１６】
図１は、本発明の第１参考例としての光ディスク装置１０の概略的な電気的構成を示す。受光面１１へ結像する入射光１２は、レーザ光源１３から発生されるレーザ光を、ハーフミラー１４で反射させ、レンズ１５を通して照射する光に対する反射光である。４分割された受光面１１を有するディテクタ、レーザ光源１３、ハーフミラー１４、およびレンズ１５などは、光ピックアップ１６に搭載される。光ピックアップ１６には、フォーカスサーボおよびトラッキングサーボのための機構が設けられている。
【００１７】
光ピックアップ１６によって、情報の光学的な再生や記録を行う対象となる光ディスク１７は、ターンテーブル１８に装填され、モータ１９で回転駆動される。光ディスク１７は、ＣＤなどのように、記録媒体が直接ターンテーブル１８上に装着される場合ばかりではなく、ＭＤなどのように、ジャケットに入った状態で装着される場合もあるけれども、光ピックアップ１６に対してはジャケットに設けられるシャッタが開くので、実質的には同等の状態となる。
【００１８】
本参考例としての光ディスク１７の有無検出や各種サーボ制御は、制御回路２０によって行われる。制御回路２０は、マイクロコンピュータなどを含み、予め設定されているプログラムに従って制御動作を行う。
【００１９】
光ディスク１７が装填されるときの反射による入射光１２が受光面１１上に結像するときの検出光量に対応する信号は、Ａ，Ｂに分けて増幅回路２１，２２でそれぞれ増幅される。ディテクタの受光面１１は、フォトダイオードで構成され、検出光量に対応する電流値が増幅回路２１，２２で電圧値に変換されて増幅される。増幅回路２１，２２の増幅利得は、制御回路２０によって制御可能である。増幅回路２１，２２でＩ−Ｖ変換されて増幅された信号は、加算回路２３で加算されて、Ａ＋Ｂの入射光量を表すトータル信号が導出される。トータル信号の電圧レベルは、比較回路２４で基準レベル発生回路２５から発生される基準レベルＦＯＫＬＥＶの電圧と比較され、比較結果を表す／ＦＯＫ信号が制御回路２０に入力される。光ピックアップ１６のサーボ制御のために、制御回路２０からの出力信号は、駆動回路２６で電力増幅されて光ピックアップ１６のアクチュエータを駆動する。
【００２０】
なお、「／」は、図面上では文字または文字列の上に引かれるバー記号を示し、負論理の信号、すなわち、ローレベルが真を表す論理値であることを示す。ただし、ハイレベルが真を表す正論理を用いることも同様に可能であり、これらの選択は設計的事項である。
【００２１】
図２は、図１の光ピックアップ１６の光学系であるレンズ１５を光ディスク１７に対して光軸に沿って移動させるレンズの掃引と、トータル信号レベルと、ピーク検出を表す／ＦＯＫ信号との関係を、（ａ），（ｂ），（ｃ）でそれぞれ示す。レンズの掃引によるフォーカスの変化で、フォーカスが合う合焦点の位置で、トータル信号のレベルも最大となり、基準レベルであるＦＯＫＬＥＶを超えて、／ＦＯＫ信号がローレベルに変化する。制御回路２０は、／ＦＯＫ信号がハイレベルからローレベルに遷移することを検知して、光ディスク１７が装填されていると判断することができる。
【００２２】
図３は、図１の制御回路２０による光ディスク１７の有無の判断手順を示す。ステップａ０から手順を開始する。手順開始に際して、増幅回路２１，２２の増幅利得は、利得増加の余地を残すように設定する。ステップａ１では、基準レベル発生回路２５を制御して、基準レベルＦＯＫＬＥＶを設定する。設定される基準レベルＦＯＫＬＥＶは、たとえば設計上、最も適切と考えられる電圧とする。
【００２３】
ステップａ２では、比較回路２４の比較結果を表す／ＦＯＫ信号のレベルがハイレベル”Ｈ”であるか否かを判断する。本来、ハイレベルとなるべきところを、ＤＣオフセットなどの影響でローレベルとなっているときは、ステップａ３で基準レベルＦＯＫＬＥＶ上昇させ、ステップａ２での判断がハイレベルとなるまで繰り返す。光ピックアップ１６に故障が生じていない限り、ピークになっていないトータル信号のバックグラウンドのレベルよりも基準レベルＦＯＫＬＥＶを高くすることができるように設計しておく。なお、本実施の形態では、／ＦＯＫ信号をハイレベルにするために基準レベルＦＯＫＬＥＶを上昇させているが、増幅回路２１，２２の増幅利得を減少させてもよい。
【００２４】
／ＦＯＫ信号がハイレベルになれば、ステップａ４で図２（ａ）に示すようなレンズ１５の掃引を行う。ステップａ５では、掃引中／ＦＯＫ信号がローレベル”Ｌ”となったか否かを判断する。ローレベルになっていないと判断されるときは、ステップａ６で増幅回路２１，２２の増幅利得であるＩ−Ｖアンプゲインが最大値ＭＡＸになっているか否かを判断する。最大値になっていなければ、ステップａ７でゲインを上昇ＵＰさせ、ステップａ２に戻る。これによって、トータル信号の増幅度が不足してピークを検出することができない事態を避けることができる。なお、本実施の形態では、増幅回路２１，２２の増幅利得を上昇させているが、基準レベルＦＯＫＬＥＶを減少させてもよい。
【００２５】
ステップａ５で、掃引中／ＦＯＫ信号がローレベルとなったと判断されるときは、ステップａ８でディスク有りとして、光ディスク１７が装填されていると判断する。ステップａ６で、Ｉ−ＶアンプゲインＭＡＸと判断されるときは、ステップａ９でディスク無しとして、光ディスク１７が装填されていないと判断する。
【００２６】
図４は、図３の手順で、トータル信号に対する基準レベルを表すＦＯＫＬＥＶ信号が上昇する状態と、／ＦＯＫ信号の変化との関係を示す。図４（ａ）に実線で示すレンズの掃引前のトータル信号に対して、一点鎖線で示すようにＦＯＫＬＥＶ信号のレベルが低ければ、図４（ｂ）に示すように／ＦＯＫ信号はローレベルとなる。掃引開始前に／ＦＯＫ信号がローレベルになっているので、ローレベルへの変化でトータル信号のピークを検知することができない。図４（ａ）に二点鎖線で示すようにＦＯＫＬＥＶ信号のレベルがトータル信号よりも高くなれば、／ＦＯＫ信号はハイレベルになり、ローレベルへの変化でトータル信号のピークを検知することが可能になる。
【００２７】
図５は、本発明の第２参考例として、図１の光ディスク装置１０による光ディスクの有無判定の他の手順を示す。ステップｂ０〜ステップｂ２の各ステップの動作内容は図２のステップａ０〜ステップａ２の各ステップと同等である。また、ステップｂ４〜ステップｂ９の各ステップの動作内容は図２のステップａ４〜ステップａ９の各ステップと同等である。
【００２８】
ステップｂ２で／ＦＯＫ信号がハイレベルでないと判断されるとき、ステップｂ３で基準レベルＦＯＫＬＥＶが最大値ＭＡＸに等しくなっているか否かを判断する。基準レベル発生回路２５は、電源電圧などの制約に基づき、発生する基準レベルＦＯＫＬＥＶの範囲に限界がある。ステップｂ３で基準レベルＦＯＫＬＥＶが最大値ＭＡＸに等しくないと判断されるときは、ステップｂ３ｎで基準レベルを上昇ＵＰさせ、ステップｂ２に戻る。ステップｂ３ｎの動作は、図３のステップａ３と同等である。ステップｂ３で基準レベルＦＯＫＬＥＶが最大値ＭＡＸまで達して等しくなっていると判断されるときは、ステップｂ３ｙで増幅回路２１，２２のＩ−Ｖアンプゲインを減少ＤＯＷＮさせ、ステップｂ２に戻る。
【００２９】
本参考例では、ＤＣオフセット成分の増幅度が小さくなるので、トータル信号のバックグラウンドレベルが基準レベルＦＯＫＬＥＶよりも小さくなって、ステップｂ２の条件を満たす可能性が大きくなる。このため、一層確実に光ディスクの有無の判断を行う準備を整えることができる。
【００３０】
なお、本参考例では、／ＦＯＫ信号がハイレベルになるまで基準レベルＦＯＫＬＥＶを上昇させ、基準レベルＦＯＫＬＥＶが最大値ＭＡＸになっても、／ＦＯＫ信号がローレベルのときに、増幅回路２１，２２のＩ−Ｖアンプゲインを減少させているが、増幅回路２１，２２のＩ−Ｖアンプゲインを減少ＤＯＷＮさせ、増幅回路２１，２２のＩ−Ｖアンプゲインが最小値になっても、／ＦＯＫ信号がローレベルのときに、基準レベルＦＯＫＬＥＶを上昇ＵＰさせるようにし、ステップｂ１に戻ったとき、増幅回路２１，２２のＩ−Ｖアンプゲインを初期値に設定するようにしてもよい。
【００３１】
図６は、本発明の第３参考例としての光ディスク装置３０の概略的な電気的構成を示す。本参考例の光ディスク装置３０で、図１の光ディスク装置１０と対応する部分には同一の参照符を付し、重複する説明を省略する。光ディスク装置３０の制御回路３１は、マイクロコンピュータなどを含み、メモリ回路３２に、前回の光ディスク有無判断時に基準レベル発生回路２５に設定された基準レベルＦＯＫＬＥＶを記憶しておく。メモリ回路３２は、バックアップ電源を備えるＲＡＭや不揮発性のフラッシュメモリなどの半導体記憶素子を用いて構成することができる。
【００３２】
図７は、図６の参考例での光ディスクの有無判断手順を示す。ステップｃ０およびステップｃ３〜ステップｂ９の各ステップの動作内容は図２のステップａ０およびステップａ３〜ステップａ９の各ステップと同等である。ステップｃ１では、メモリ回路３２に記憶されている前回の基準レベルＦＯＫＬＥＶを基準レベル発生回路２５から発生するようにセットする。同一の光ディスク装置３０を使用する以上、ＤＣオフセットなどの発生状態は前回とあまり大きな違いはないはずであり、ステップｃ２で／ＦＯＫ信号がハイレベルとなる可能性が大きくなって、ステップｃ４のレンズ掃引の開始までに要する時間を短縮することができる。短縮時間は、条件によっては数秒に及ぶこともあり得る。なお、前回の増幅回路２１，２２のＩ−Ｖアンプゲインを記憶しておき、増幅回路２１，２２のＩ−Ｖアンプゲインをセットするようにしてもよい。
【００３３】
図８は、本発明の実施の第１形態としての光ディスク装置４０の概略的な電気的構成を示す。本実施形態の光ディスク装置４０で、図１の光ディスク装置１０と対応する部分には同一の参照符を付し、重複する説明を省略する。マイクロコンピュータなどを含む制御回路４１は、加算回路２３から導出されるトータル信号のレベルを、Ａ／Ｄ回路４２によってアナログ／デジタル変換されたデジタルデータとして入力する。
【００３４】
図９は、図８の実施形態での光ディスクの有無判断手順を示す。ステップｄ０で手順を開始し、ステップｄ１でディテクタの受光面１１でのＡとＢとについての入射光量を表すトータル信号のレベルを測定する。測定は、Ａ／Ｄ回路４２でデジタル値に変換された電圧値を、メモリ回路４３に記憶することによって行う。メモリ回路４３は、制御回路４０に含まれるマイクロコンピュータに内蔵することもでき、またマイクロコンピュータのレジスタを用いることもできる。
【００３５】
ステップｄ２では、レンズ１５を図２（ａ）に示すように掃引する。ステップｄ３では、レンズ掃引中にトータル信号の最大値ＭＡＸを測定する。最大値ＭＡＸの測定は、マイクロコンピュータのプログラムのアルゴリズムとして基本的なものの一つであるので、詳細な手順は省略する。ステップｄ４では、メモリ回路４３に記憶されているトータル信号の内容であるＡ＋Ｂ電圧値が最大値ＭＡＸに比べて充分に小さいとみなせる程度であるか否かが判断される。充分に小さいと判断されるときは、ステップｄ５でディスク有りと判断される。ステップｄ４で十分に小さくはないと判断されるときは、レンズ掃引前のバックグラウンドのＡ＋Ｂ電圧値からトータル信号のレベルがあまり変化していないこととなり、ステップｄ６でディスク無しと判断される。
【００３６】
図１０は、本発明の実施の第２形態として、図８の光ディスク装置４０による他の光ディスクの有無判断手順を示す。ステップｅ０から手順を開始し、ステップｅ１では先にレンズ１５の掃引を行う。レンズ掃引中に、ステップｅ３でトータル信号の最大値ＭＡＸを測定する。掃引後のステップｅ４では、掃引後のＡ＋Ｂの電圧値としてトータル信号のレベルを、掃引中に記憶されている最大値ＭＡＸと比較する。ステップｅ５およびステップｅ６での比較結果によるディスク有無の判断は、図９のステップｄ５およびｄ６と同様である。
【００３７】
本発明の実施の第１形態や第２形態では、レンズ掃引中と掃引の前または後でのトータル信号の相対的な比較で光ディスク１７の有無を判断する。したがって、トータル信号にＤＣオフセット分が含まれていても、その影響を受けずにディスク有無判断を行うことができる。
【００３８】
本発明の各実施形態は、ＤＣオフセットなどの影響を受けてもディスクの誤検知を生じにくいので、温度などの環境変動が大きくなる可能性がある車載用のオーディオ装置やナビゲーション装置に含まれる光ディスク装置などに、特に好適に適用することができる。
【００３９】
本発明によれば、次の実施の各形態が可能である。
（１）光学系を光軸に沿って掃引する際に、光学系から入射する光量を表す信号のレベルが基準レベルを超えるか否かで、光ディスクの有無を判断する光ディスク装置において、
基準レベルを発生する基準レベル発生回路と、
入射光量を表す信号のレベルと基準レベル発生回路から発生される基準レベルとを比較し、比較結果を表す信号を導出する比較回路と、
光学系の掃引開始前に、比較回路からの信号によって、入射光量を表す信号のレベルが基準レベルを超えていると判断されるとき、基準レベル発生回路を制御して基準レベルを上昇させ、入射光量を表す信号のレベルが基準レベルを超えなくなってから、光学系の掃引を開始するように制御する第１制御回路とを含むことを特徴とする光ディスク装置。
【００４０】
本発明に従えば、第１制御回路は、比較回路からの比較結果を表す信号によって入射光量を表す信号のレベルが基準レベルを超えていると判断されるときに、基準レベル発生回路から発生される基準レベルを上昇させ、入射光量を表す信号のレベルが基準レベルを超えないようになってから、光学系の掃引を開始させる。入射光量を表す信号のレベルが掃引開始時から基準レベルを超えることは無くなるので、たとえばＤＣオフセットなどが大きくなっても、基準レベルが適切に設定され、光ディスクの誤検出を防ぐことができる。
【００４１】
本発明によれば、入射光量を表す信号のレベルが基準レベルを超えているときに、基準レベルを上昇、または増幅利得を減少させ、入射光量を表す信号のレベルが基準レベルを超えないような適切な状態になってから、光学系の掃引を開始させて、入射光量を表す信号のレベルのピークの有無で光ディスクの有無を判断することができる。たとえばＤＣオフセットなどが大きくなっても、基準レベルまたは増幅利得が適切に設定され、光ディスクの誤検出を防ぐことができる。
【００４２】
（２）前記入射光量を表す信号を増幅して前記比較回路に入力させ、増幅利得が変更可能な増幅回路を備え、
前記第１制御回路は、前記基準レベルを予め設定される上限まで上昇させても、入射光量を表す信号のレベルまで達しないとき、増幅回路の増幅利得を減少させてから、前記基準レベル発生回路から発生される基準レベルを上昇させる制御を、再度、行うことを特徴とする光ディスク装置。
【００４３】
本発明に従えば、第１制御回路は、ＤＣオフセットなどで入射光量を表す信号のレベルが光学系の掃引開始前に基準レベルを超え、基準レベルを上昇させるだけでは、基準レベルが入射光量を表すレベルまで達しないときは、増幅回路の増幅利得を減少させる。増幅利得の低下によって、ＤＣオフセット成分なども小さくなり、入射光量を表す信号のレベルがピークを除いて基準レベルを超えないように制御し、光ディスクの誤検出を一層確実に防ぐことができる。
【００４４】
本発明によれば、制御回路は、ＤＣオフセットなどで入射光量を表す信号のレベルが光学系の掃引開始前に基準レベルを超えているときは、基準レベルの上昇、および増幅回路の増幅利得を減少させるので、ＤＣオフセット成分なども小さくなり、入射光量を表す信号のレベルがピークを除いて基準レベルを超えないように、基準レベルおよび増幅利得を適切に設定し、光ディスクの誤検出を一層確実に防ぐことができる。
【００４５】
（３）光学系を光軸に沿って掃引する際に、光学系から入射する光量を表す信号のレベルが基準レベルを超えるか否かで、光ディスクの有無を判断する光ディスク装置において、
基準レベルを発生する基準レベル発生回路と、
入射光量を表す信号のレベルと基準レベル発生回路から発生される基準レベルとを比較し、比較結果を導出する比較回路と、
前記入射光量を表す信号を増幅して前記比較回路に入力させ、増幅利得が変更可能な増幅回路と、
光学系の掃引開始前に、比較回路からの信号によって、入射光量を表す信号のレベルが基準レベルを超えていると判断されるとき、増幅回路を制御して増幅利得を減少させ、入射光量を表す信号のレベルが基準レベルを超えなくなってから、光学系の掃引を開始するように制御する第２制御回路とを含むことを特徴とする光ディスク装置。
【００４６】
本発明に従えば、第２制御回路は、比較回路からの比較結果を表す信号によって入射光量を表す信号のレベルが基準レベルを超えていると判断されるときに、増幅回路の増幅利得を減少させ、入射光量を表す信号のレベルが基準レベルを超えないようになってから、光学系の掃引を開始させる。入射光量を表す信号のレベルが掃引開始時から基準レベルを超えることは無くなるので、たとえばＤＣオフセットなどが大きくなっても、増幅利得が適切に設定され、光ディスクの誤検出を防ぐことができる。
【００４７】
本発明によれば、前回の動作時の基準レベルまたは／および増幅利得を初期値として用いて基準レベルの上昇または／および増幅利得の減少の制御を行うので、当該光ディスク装置のＤＣオフセット特性などの影響が既に加味されている状態から基準レベルを上昇または／および増幅利得を減少させることができ、基準レベルまたは／および増幅利得の設定を短時間適切に行うことができる。
【００４８】
（４）前記第２制御回路は、前記増幅利得を予め設定される上限まで上昇させても、基準レベルが入射光量を表す信号のレベルまで達しないとき、基準レベル発生回路から発生される基準レベルを上昇させてから、前記増幅回路の増幅利得を減少させる制御を、再度、行うことを特徴とする光ディスク装置。
【００４９】
本発明に従えば、第２制御回路は、ＤＣオフセットなどで入射光量を表す信号のレベルが光学系の掃引開始前に基準レベルを超え、増幅利得を減少させるだけでは、基準レベルが入射光量を表すレベルまで達しないときは、基準レベル発生回路から発生される基準レベルを上昇させてから、再度増幅回路の増幅利得を減少させる。基準レベルの上昇によって、ＤＣオフセット成分などがあっても、入射光量を表す信号のレベルがピークを除いて基準レベルを超えないように制御し、光ディスクの誤検出を一層確実に防ぐことができる。
【００５０】
（５）前記基準レベルを記憶する第１メモリ回路を備え、
前記第１または第２制御回路は、前記基準レベル発生回路から発生される基準レベルを上昇させる制御を行う際に、第１メモリ回路に記憶されている前回の判断時の基準レベルを初期値として制御することを特徴とする光ディスク装置。
【００５１】
本発明に従えば、第１または第２制御回路が基準レベルを上昇させる制御を行う際に、第１メモリ回路に記憶されている前回の動作時の基準レベルを初期値として用いるので、当該光ディスク装置のＤＣオフセット特性などの影響が加味されている状態から基準レベルを上昇させることができ、適切な基準レベルの設定を短時間で行うことが可能になる。
【００５２】
（６）前記増幅利得を記憶する第２メモリ回路を備え、
前記第２制御回路は、前記増幅回路の増幅利得を減少させる制御を行う際に、第２メモリ回路に記録されている前回の判断時の増幅利得を初期値として制御することを特徴とする光ディスク装置。
【００５３】
本発明に従えば、第２制御回路が増幅回路の増幅利得を減少させる制御を行う際に、第２メモリ回路に記憶されている前回の動作時の増幅利得を初期値として用いるので、当該光ディスク装置のＤＣオフセット特性などの影響が加味されている状態から増幅利得を減少させることができ、適切な増幅利得の設定を短時間で行うことが可能になる。
【図面の簡単な説明】
【００５４】
【図１】本発明の第１参考例の光ディスク装置の概略的な電気的構成を示すブロック図である。
【図２】図１の参考例でのレンズの掃引と、トータル信号レベルと、ピーク検出を表すＦＯＫ信号との関係を示すグラフである。
【図３】図１の参考例での光ディスクの有無判断手順を示すフローチャートである。
【図４】図１の参考例でのトータル信号に対する基準レベルを表すＦＯＫＬＥＶ信号の上昇と、ＦＯＫ信号の変化との関係を示すグラフである。
【図５】本発明の第２参考例として、図１の光ディスク装置１０による他の光ディスクの有無判断手順を示すフローチャートである。
【図６】本発明の第３参考例としてのディスク装置の概略的な電気的構成を示すブロック図である。
【図７】図６の参考例での光ディスクの有無判断手順を示すフローチャートである。
【図８】本発明の実施の第１形態としてのディスク装置の概略的な電気的構成を示すブロック図である。
【図９】図８の実施形態での光ディスクの有無判断手順を示すフローチャートである。
【図１０】本発明の実施の第２形態として、光ディスクの有無判断手順を示すフローチャートである。
【図１１】フォーカスの変化とディテクタの４分割された受光面に結像する入射光の形状との関係を示す図である。
【図１２】フォーカスの変化と図１１の受光面Ａ，Ｂ毎の入射光量を表す信号レベルおよびトータル信号のレベル変化との関係を示すグラフである。
【符号の説明】
【００５５】
１０，３０，４０  光ディスク装置
１１  受光面
１２  入射光
１５  レンズ
１６  光ピックアップ
１７  光ディスク
２０，３１，４１  制御回路
２１，２２  増幅回路
２３  加算回路
２４  比較回路
２５  基準レベル発生回路
２６  駆動回路
３２，４３  メモリ回路
４２  Ａ／Ｄ回路
【図１】
0004417408.tif 000002
【図２】
0004417408.tif 000003
【図３】
0004417408.tif 000004
【図４】
0004417408.tif 000005
【図５】
0004417408.tif 000006
【図６】
0004417408.tif 000007
【図７】
0004417408.tif 000008
【図８】
0004417408.tif 000009
【図９】
0004417408.tif 000010
【図１０】
0004417408.tif 000011
【図１１】
0004417408.tif 000012
【図１２】
0004417408.tif 000013